(57)【要約】【課題】  良好な作業性と防寒性を備えたハーフグローブを提供する。【解決手段】  ハーフグローブを手に装着する場合、第２の開口部４から手首を挿入し、第３の開口部５から指９（親指）を出すと共に、第１の開口部３から親指以外の他の４本の指９を出す。また、指部６を本体側へ引いて指部６の長さを指９の付け根付近にまで短くしたり、指部を指先側へ引いて指部６の長さを長くしたりして、指部６の長さを調節する。本体２の表面の指部６と手首部７の間には、着色された毛糸による装飾部２Ａや、通気のための穴２Ｂが形成されている。【選択図】  図２
2007016348.tif 000002
【特許請求の範囲】
【請求項１】
親指以外の指が挿通される第１の開口部と、手首が挿通される第２の開口部と、親指が挿通される第３の開口部が形成されている本体と、
挿通される指に対して所定の力を与えるように配置されている弾性体を有すると共に伸縮可能な指部とを備えた
ハーフグローブ。
【請求項２】
前記指部は前記本体に着脱可能に取り付けられている
請求項１に記載のハーフグローブ。
【請求項３】
挿通される手首に対して所定の力を与えるように配置されている弾性体を有すると共に伸縮可能な手首部を備えた
請求項１に記載のハーフグローブ。
【請求項４】
前記手首部は前記本体に着脱可能に取り付けられている
請求項３に記載のハーフグローブ。
【発明の詳細な説明】
【技術分野】
【０００１】
本発明はハーフグローブ（指出しグローブ）に関する。詳しくは、指の被覆領域の大きさを変えられるハーフグローブに係るものである。
【背景技術】
【０００２】
従来、グローブ（手袋）は、本体に５本の指部を備えて、指先から手首まで手全体を覆うよう構成されていた。しかし、このように手全体を覆うグローブでは、指先による細かい作業がし難いという問題があった。そこで、指先による細かい作業ができるよう各指部の先端を開放して指先を露出できる、いわゆるハーフグローブについて様々な提案がなされている。
【０００３】
例えば、特許文献１には、手袋１０１に手を通し、手袋１０１の指先端部分１０２より指先１０３を露出できる手袋が開示されている。図４に従来のハーフグローブの概略説明図を示す。
【０００４】
【特許文献１】特開平１１−２９９９５７号公報
【発明の開示】
【発明が解決しようとする課題】
【０００５】
しかしながら、従来のハーフグローブは、各指の指先は開放されているものの、各指の指先以外の部分には依然として指部が被さっているので、各指の動きが完全に自由となってはいなかった。また一方で、指部を完全に無くしてしまうと、細かい作業以外の時例えば冬季の外出時に防寒の点で劣ってしまい、良好な作業性と防寒性を兼ね備えたハーフグローブが求められていた。
【０００６】
本発明は、以上の点に鑑みて創案されたものであり、良好な作業性と防寒性を備えたハーフグローブを提供することを目的とする。
【課題を解決するための手段】
【０００７】
上記の目的を達成するために、本発明のハーフグローブは、親指以外の指が挿通される第１の開口部と、手首が挿通される第２の開口部と、親指が挿通される第３の開口部が形成されている本体と、挿通される指に対して所定の力を与えるように配置されている弾性体を有すると共に伸縮可能な指部とを備えている。
【０００８】
ここで、挿通される指に対して所定の力を与えるように配置されている弾性体を有すると共に伸縮可能な指部によって、所定の力即ち伸びた弾性体の戻ろうとする力が指に加わり、指部を指の長さ方向において特定の位置に留め、指部を伸縮させて指を覆う領域の大きさを自由に変化させることができる。
【発明の効果】
【０００９】
本発明に係るハーフグローブは、良好な作業性と防寒性を備えている。
【発明を実施するための最良の形態】
【００１０】
以下、本発明の実施の形態について図面を参照しながら説明し、本発明の理解に供する。図１は、本発明を適用したハーフグローブの一例を示す概略斜視図である。
【００１１】
ハーフグローブ１は、指先を開放する即ち指を部分的に覆うと共に両端と側面に開口部が形成された、手の甲や掌を覆う筒状の綿製の本体２を備えている。また、本体２の一方の端部には親指以外の４本の指を出して開放する第１の開口部３が形成され、本体２の他方の端部には手首が挿入される第２の開口部４が形成され、本体２の側面には親指を出して開放する第３の開口部５が形成されている。更に、挿通された指や手首に所定の力即ち伸びた弾性体の戻ろうとする力を加えるように配置された複数のゴム（弾性体の一例）８が本体２の外周面に編み込まれており、第１の開口部３付近に編み込まれたゴム８の領域の方が、第２の開口部付近に編み込まれたゴム８の領域よりも広く、それぞれ綿製の指部６と綿製の手首部７とを構成し、本体２、指６及び手首部７は一体成形されている。また、第３の開口部５の周囲にもゴム８が編み込まれている。また、本体２の表面の指部６と手首部７の間には、着色された毛糸による装飾部２Ａや、通気のための穴２Ｂが形成されており、装飾部や穴が形成された面と略平行な本体の面には滑り止め加工が施されている。
【００１２】
ここで、ハーフグローブが、挿通される指に対して所定の力を与えるように配置されている弾性体を有すると共に伸縮可能な指部を備えていれば、必ずしも手首部に弾性体が編み込まれていなくてもよく、また、必ずしも本体の表面の指部と手首部の間に装飾部や穴を形成しなくてもよく、更に、必ずしも滑り止め加工が施されていなくてもよく、また、必ずしもハーフグローブは手首部を備えていなくてもよい。また、ハーフグローブが、挿通される指に対して所定の力を与えるように配置されている弾性体を有すると共に伸縮可能な指部を備えていれば、必ずしも第３の開口部の周囲に弾性体を配置しなくてもよい。また、手をハーフグローブに装着した場合、本体が掌を覆うことができれば、必ずしも手の甲を覆わなくてもよい。また、装飾部を形成できれば、プリントやビーズ等によって装飾部を形成してもよい。
【００１３】
また、ハーフグローブが、挿通される指に対して所定の力を与えるように配置されている弾性体を有すると共に伸縮可能な指部を備えていれば、本体、指部及び手首部は、外側を皮革によって構成され、内側を綿素材で構成されていてもよく、また、指部は指ごとに分かれていてもよい。
【００１４】
また、ハーフグローブが、挿通される指に対して所定の力を与えるように配置されている弾性体を有すると共に伸縮可能な指部を備えていれば、手や指のシミ、皮膚癌等の原因となる日焼けを防止するために、本体、指部及び手首部は、綿等の紫外線透過率が低い繊維や紫外線吸収剤を含んだ繊維等の紫外線遮蔽性を備えた繊維によって構成されていてもよい。
【００１５】
図２は、本発明を適用したハーフグローブを手に装着した一例を示す概略平面図（ａ）と、指部を短くした状態の一例を示す概略平面図（ｂ）である。本発明を適用したハーフグローブを手に装着する場合、第２の開口部４から手首を挿入し、第３の開口部５から指９（親指）を出すと共に、第１の開口部３から親指以外の他の４本の指９を出す。また、指部６を本体側へ引いて指部６の長さを指９の付け根付近にまで短くしたり、指部を指先側へ引いて指部６の長さを長くしたりして、指部６の長さを調節する。
【００１６】
図３は、他の態様の一例である本発明を適用したハーフグローブを手に装着した状態の概略平面図（ａ）と、指部及び手首部を取り外した状態を示す概略平面図（ｂ）である。ハーフグローブの指部６及び手首部７は、それぞれ本体２とファスナー１１によって着脱可能に取り付けられている。ファスナー１１は、本体２の外周面に取り付けられている。
【００１７】
ここで、指部及び手首部がそれぞれ本体に着脱可能に取り付けられれば、必ずしもファスナーによって取り付けられていなくてもよく、例えばマジックテープ（登録商標）等の面ファスナーや、ボタンによって取り付けられていてもよい。
【００１８】
このように、本発明を適用したハーフグローブは、挿通される指に対して所定の力を与えるように配置されている弾性体を有すると共に伸縮可能な指部を備えているので、伸びた弾性体の戻ろうとする力が指に加わり、指部を指の長さ方向において特定の位置に留め、指部を伸縮させて指を覆う領域の大きさを自由に変化させることができ、よって、細かい作業を行なう場合には指部を指の付け根付近まで短くすることで指をより自由に動かすことができて作業性が良好となり、一方で細かい作業を行なう場合以外例えば冬季に外出する場合、他人のマウスを使用する場合そして電車の吊革を持つ場合等は指部の長さを伸ばすことで防寒性を向上させると共に特に気にすることなく他人のマウスや電車の吊革等を触ることができる。また、本発明を適用したハーフグローブを着用することによって他人のマウスや電車の吊革等に、直接、手が触れることがないので衛生的である。
【００１９】
また、本発明を適用したハーフグローブは筒状の本体を有しているので、手袋というイメージを感じさせず、リストバンドに近いイメージで使用できて、夏季において使用しても違和感はなく、しかも手に容易に着脱できる。
【００２０】
更に、指部や手首部がファスナーによって着脱可能に本体に取り付けられているので、暑い夏季には指部や手首部を取り外して暑さを和らげ、冬季には指部や手首部を取り付けて防寒でき、一年を通じて使用できる。
【００２１】
また、本体の表面の指部と手首部の間には装飾部が形成されているので、ファッション性にも優れている。
【図面の簡単な説明】
【００２２】
【図１】本発明を適用したハーフグローブの一例を示す概略斜視図である。
【図２】本発明を適用したハーフグローブを手に装着した一例を示す概略平面図（ａ）と、指部を短くした状態の一例を示す概略平面図（ｂ）である。
【図３】他の態様の一例である本発明を適用したハーフグローブを手に装着した状態の概略平面図（ａ）と、指部及び手首部を取り外した状態を示す概略平面図（ｂ）である。
【図４】従来のハーフグローブの概略説明図である。
【符号の説明】
【００２３】
１    ハーフグローブ
２    本体
２Ａ  装飾部
２Ｂ  穴
３    第１の開口部
４    第２の開口部
５    第３の開口部
６    指部
７    手首部
８    ゴム
９    指
１０    手首
１１    ファスナー
【図１】
2007016348.tif 000003
【図２】
2007016348.tif 000004
【図３】
2007016348.tif 000005
【図４】
2007016348.tif 000006